(57)【特許請求の範囲】
【請求項１】
一対の挟持部材を開閉自在に支点連結して挟持具を構成し、該挟持具の作用点とされる相対向する一対の鍔片を相互近接させ固定して、波形屋根の頂部より突出したボルト体に挟着させる構造とした屋根上取付具であって、
上記鍔片の先端に、上記波形屋根の上面に突出した上記ボルト体の外周面に嵌合可能な凹所を形成し、該凹所には、上記ボルト体のネジ溝に食い込んで係止することが可能な係止片を複数形成しており、
上記複数の係止片は、上記凹所の中央に形成した切り起こし片と、該切り起こし片の両側に配された上記凹所の内縁片とより構成されており、
上記凹所を上記ボルト体の外周面に嵌合して取り付けたときに、上記複数の係止片が上記ボルト体のネジ溝に異なる位置で各々係止することを特徴とする屋根上取付具。
【請求項２】
請求項１において、
上記挟持部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記鍔片とより構成されており、
上記挟持具は、上記２つの挟持部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟持具締付ボルトを通し、締付ナットを螺合することで上記鍔片の先端同士を近接させる構造としている屋根上取付具。
【請求項３】
請求項１または２において、
上記凹所以外の上記鍔片の先端には、リブによって形成された挟着部を形成してなる屋根上取付具。
【発明の詳細な説明】
【技術分野】
【０００１】
本発明は、波形屋根の上面に突出したボルト体に挟着させて取り付けできる屋根上取付具に関する。
【背景技術】
【０００２】
一般に、折板屋根（角波形屋根）、丸波形屋根等の波形屋根の上面に、例えばテレビアンテナや空調機器、屋上緑化トレイ、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
具体的には、特許文献１に記載の屋根上取付具は、下方に向けて拡開した、２つの挟持部材よりなる挟持具の交差状に連結した両上板に、挟持具締付ボルトを貫通させたうえで締付ナットを螺合し、脚片の下端から相対向した両鍔片を鋏のごとく近接させて、波形屋根の頂部における屋根材のハゼ式の接合により形成されたハゼ部に挟着させて取り付ける構造となっている。
【０００４】
同文献に記載された屋根上取付具は、２つの挟持部材よりなる挟持具を、開閉自在の緩んだ状態から、挟持具締付ボルト、締付ナットによる螺合により上板を締め付けて固定する構造となっているため、操作を容易に行うことができ、さらに締付操作をするための締付ナットを上板の上面側に配しているため、螺合する際の作業性はきわめてよい。また、挟持具締付ボルトを上板のボルト貫通孔に下方より貫通させる際の作業性をよくするために、鍔片の先端中央に半円状の切欠き凹部が形成されている。
【先行技術文献】
【特許文献】
【０００５】
【特許文献１】特許３３６８３７４号公報
【発明の概要】
【発明が解決しようとする課題】
【０００６】
しかしながら、上記特許文献１に記載の屋根上取付具では、上板に形成された切り溝同士で噛み合わせ可能にした２つの挟持部材を組み合わせて開閉自在な挟持具を構成しているため、締め付けたときに、２つの挟持部材の鍔片が水平方向にわずかにずれるおそれがある。特に、上板の切り溝やボルト貫通孔には、作業時の開閉操作をスムーズにさせるための遊びが含まれているので、その遊びによって大きなずれが発生する可能性もある。
【０００７】
このように、上記文献の屋根上取付具は、ずれが発生するおそれがあるため、水平方向に多少のずれが発生しても問題のない、ハゼ部への装着に限定したものと想定でき、波形屋根の重ね式接合に使用されるボルト体への装着については全く想定していないものと考えられる。このことは、上記文献において、鍔片の先端中央に施工性をよくするための切欠き凹部を設けたことからも想定できる。
【０００８】
かりに、鍔片の先端中央に切欠き凹部が形成されておらず、先端が直線状で平行に向かい合う形状であったとしても、そのような形状では、波形屋根の上面に突出した円柱状のボルト体に対してずれなく装着させることが、きわめて困難であると予想される。
【０００９】
このような事情から、上記文献の屋根上取付具のごとく２つの挟持部材で構成した挟持具を、波形屋根の上面に突出した円柱状のボルト体へ装着させるためには、ボルト体との間でずれが発生し得ないような特殊な係止構造を有することが必要とされるが、そのようなものは現在のところ提案されていない。
【００１０】
本発明は、このような事情を考慮して提案されたもので、その目的は、重ね式接合構造の波形屋根の場合において、波形屋根の上面に突設したボルト体に、ずれが発生するおそれがなく、確実、強固に取り付けることができる屋根上取付具を提供することにある。特に、一対の挟持部材よりなる挟持具を採用した屋根上取付具において、ボルト体への確実な装着を可能にすることを主たる目的としている。
【課題を解決するための手段】
【００１１】
上記目的を達成するために、請求項１に記載の屋根上取付具は、一対の挟持部材を開閉自在に支点連結して挟持具を構成し、挟持具の作用点とされる相対向する一対の鍔片を相互近接させ固定して、波形屋根の頂部より突出したボルト体に挟着させる構造とした屋根上取付具であって、鍔片の先端に、波形屋根の上面に突出したボルト体の外周面に嵌合可能な凹所を形成し、該凹所には、ボルト体のネジ溝に食い込んで係止することが可能な係止片を複数形成しており、複数の係止片は、凹所の中央に形成した切り起こし片と、該切り起こし片の両側に配された凹所の内縁片とより構成されており、凹所をボルト体の外周面に嵌合して取り付けたときに、複数の係止片がボルト体のネジ溝に異なる位置で各々係止することを特徴とする。
【００１２】
請求項２に係る屋根上取付具は、挟持部材が、中央にボルト貫通孔が開設され、ボルト貫通孔から一方の側端縁に至る切り溝が形成された上板と、上板の基端より下方に延びる脚片と、脚片の下端から上板と略同一の方向に延びる鍔片とより構成されており、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としている。
【００１３】
（削除）
【００１４】
請求項３に係る屋根上取付具は、凹所以外の鍔片の先端には、リブによって形成された挟着部を形成してなる。
【発明の効果】
【００１５】
本発明によれば、次のような効果がある。
【００１６】
請求項１に係る屋根上取付具によれば、鍔片の先端には、波形屋根の上面に突設されたボルト体の外周面に嵌合可能な凹所を形成してあるので、重ね式接合構造の場合には、鍔片の先端に形成した凹所がボルト体の外周面に嵌合して強固に取り付けできる。また、屋根上取付具が２つの挟持部材を用いた構造であり、閉操作時に遊び等による水平方向のずれが発生する可能性があるが、凹所でボルト体を嵌合固定するので、ずれが発生するおそれはない。もちろん、ハゼ式接合構造の場合にも、鍔片をハゼ部の脚部に挟着させて取り付けることができる。
【００１７】
このように、本発明の屋根上取付具によれば、１つの屋根上取付具だけで、ハゼ部だけでなく、重ね式接合構造の折板屋根に対しても簡単かつ確実に取り付けできる。また、凹所には、ボルト体のネジ溝に食い込んで係止可能な係止片が複数形成されているので、凹所をボルト体の外周面に嵌合して取り付けた際、凹所および係止片によってボルト体をさらに確実に挟持できる。
【００１８】
また、ボルト体に挟着させる挟持具が一対の挟持部材を支点連結して形成されているので、力点部分を操作するだけで容易に、作用点とされる一対の鍔片を相互近接させることができ、ボルト体への挟着作業を簡便に行える。
【００１９】
請求項２に係る屋根上取付具によれば、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としているので、２枚重なった上板を挟持具締付ボルトと締付ナットで上下方向に締め付けるだけで容易に鍔片を近接させてボルト体に挟着させることができる。特に、締付ナットを上板の上面側に配するようにすれば、さらに締付操作を簡単に行える。
【００２０】
さらに、挟持具が２つの挟持部材で構成され、それらが開閉自在に支点連結されているので、挟持具締付ボルトと締付ナットとが緩んだ状態にあるときは、２つの挟持部材も緩んだ状態にある。そのため、鍔片を閉状態に固定するためには緩んだ締付ナットを締め付けて上板同士を固定するだけでよく、そのような締め付けは手操作でもできるため施工性がよい。
【００２１】
（削除）
【００２２】
請求項３に係る屋根上取付具によれば、凹所以外の鍔片の先端には、リブによって形成された挟着部が形成されているので、鍔片をハゼ部等の凸部に挟持して取り付けた際、挟着部によってハゼ部等の凸部をさらに確実、強固に挟持できる。
【図面の簡単な説明】
【００２３】
【図１】本発明に係る屋根上取付具の一実施形態の説明図であり、屋根上取付具を波形屋根へ取り付ける前の状態を示した分解斜視図である。
【図２】図１に示した屋根上取付具の分解斜視図である。
【図３】（ａ）、（ｂ）は、同屋根上取付具の施工状態を示す部分断面正面図である。
【図４】（ａ）、（ｂ）は、同屋根上取付具の施工状態を示す部分断面正面図である。
【図５】同屋根上取付具の他の施工例を示す分解斜視図である。
【図６】（ａ）、（ｂ）は、同屋根上取付具の施工状態を示す部分断面正面図である。
【図７】（ａ）、（ｂ）は、同屋根上取付具の施工状態を示す部分断面正面図である。
【図８】（ａ）、（ｂ）は、本発明に係る屋根上取付具の別実施形態を示す概略説明図である。
【発明を実施するための形態】
【００２４】
以下に、本発明に係る屋根上取付具の実施の形態について、図面とともに説明する。
【００２５】
図１は、本発明に係る屋根上取付具の一実施形態の説明図であり、屋根上取付具を波形屋根へ取り付ける前の状態を示した分解斜視図である。図２は、図１に示した屋根上取付具の分解斜視図である。図３（ａ）、（ｂ）および図４（ａ）、（ｂ）は、図１で示した屋根上取付具の施工状態を示す部分断面正面図である。
【００２６】
なお、図３（ａ）は、屋根上取付具Ａを波形屋根に取り付ける前の状態を示す部分断面正面図、図３（ｂ）は、屋根上取付具を波形屋根のボルト体に嵌挿する状態を示す部分断面正面図、図４（ａ）は、屋根上取付具Ａを折板屋根のボルト体に取り付けた状態を示す部分断面正面図、図４（ｂ）は、取り付けた屋根上取付具に各種機器や部材類をさらに取り付けた状態を示す部分断面正面図を各々示している。
【００２７】
以下、詳説する。
【００２８】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２９】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体Ｂとナットの螺着によって連結した重ね式接合構造となっている。また、ボルト孔からの水の浸入を防止するために、ナットと頂部Ｙ１ａとの間に防水パッキン（図示省略）が取り付けられている。
【００３０】
この屋根上取付具Ａは、一対の挟持部材１０を開閉自在に支点連結して挟持具１を構成し、挟持具１の作用点とされる相対向した一対の鍔片１３を相互近接させ固定して、折板屋根Ｙの頂部Ｙ１ａより突出したボルト体Ｂに挟着させる構造とした取付具であって、鍔片１３の先端に、折板屋根Ｙの頂部Ｙ１ａの上面に突出したボルト体Ｂの外周面に嵌合可能な凹所１４を形成したものである。
【００３１】
まず、本発明の特徴である、鍔片１３によるボルト体Ｂへの挟着構造を除く挟持具１の全体構造について説明する。
【００３２】
挟持具１を構成する一対の挟持部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる鍔片１３とより構成されている。
【００３３】
挟持具１は、上記２つの挟持部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟持具締付ボルト２１を通し、締付ナット２２を螺合することで鍔片１３の先端同士を近接させる構造となっている。
【００３４】
ここで、挟持具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００３５】
以上の構造を要約すれば、２つの挟持部材１０は上板１１に形成された切り溝１１ｄで交差状に連結され、挟持具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両鍔片１３を相互近接させるような変形鋏構造となっている。
【００３６】
また、さらに具体的には、図２に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。
【００３７】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟持部材１０の上板１１の先端部１１ｂとの間の隙間がより小さくなって、ぐらつくおそれのない、より安定した形状とすることができる。
【００３８】
このような屋根上取付具Ａによれば、挟持具１が２つの挟持部材１０で構成され、それらが開閉自在に支点連結されているので、挟持具締付ボルト２１と締付ナット２２とが緩んだ状態にあるときは、２つの挟持部材１０も緩んだ状態にある。そのため、鍔片１３を閉状態に固定するためには、締付ナット２２を締め付けて上板１１同士を固定するだけでよく、施工性がよい。
【００３９】
ついで、本発明の特徴である、屋根上取付具Ａの鍔片１３によるボルト体Ｂへの挟着構造について詳述する。
【００４０】
鍔片１３の先端略中央には、折板屋根Ｙの頂部Ｙ１ａの上面に突設したボルト体Ｂの外周面に嵌合可能な凹所１４が形成されている。具体的には、凹所１４は、ボルト体Ｂを両側から嵌合するように鍔片１３の先端中央を半円状に切り欠くか、または、先端中央を角状に切り欠いて形成されている。
【００４１】
そして、凹所１４には、ボルト体Ｂのネジ溝Ｂ１に食い込んで係止することが可能な係止片１５が複数形成されている。具体的には、図１中の破線で囲んだ凹所１４周辺の拡大平面図に示すように、凹所１４の中央部分には２条の切り込み溝１４ａが形成され、この切り込み溝１４ａに挟まれ上方に起立させた切り起し片１５ａと、起立されていない凹所１４の内縁片１５ｂとより、複数の係止片１５を構成している。
【００４２】
このような複数の係止片１５を凹所１４に形成することで、凹所１４をボルト体Ｂの外周面に嵌合して取り付けた際、複数の係止片１５がボルト体Ｂのネジ溝Ｂ１に異なる位置で各々係止して強固にボルト体Ｂを挟持でき、さらに、鍔片１３を近接させた場合に複数の係止片１５にはボルト体Ｂを下方に押圧する作用が生じるために、凹所１４および係止片１５によってボルト体Ｂをさらに確実に取り付けできる。
【００４３】
また、屋根上取付具Ａが２つの挟持部材１０よりなる挟持具１で構成されているため、挟持対象の存在しない状態で鍔片１３を近接させると、上板１１のボルト貫通孔１１ｅに形成された遊び等により両鍔片１３の先端が水平方向にずれるおそれがあるが、ボルト体Ｂに対して凹所１４および複数の係止片１５によって挟持する構造であるため、ボルト体Ｂを挟持対象とする限りは、そのようなずれが発生するおそれはない。かりに、少しのずれがある状態でボルト体Ｂを挟持したとしても、凹所１４によりボルト体Ｂを嵌合しているため、ずれが大きくなることはない。
【００４４】
以上のように構成した本発明の屋根上取付具Ａは、以下の要領で折板屋根Ｙに取り付けて使用する。
【００４５】
まず、屋根上取付具Ａを挟持具１の両鍔片１３が十分に開いた状態、つまり挟持具締付ボルト２１、締付ナット２２の螺合を緩めて、２つの挟持部材１０を開閉自在に支点連結しておき、折板屋根Ｙに立設されたボルト体Ｂの上方から、両鍔片１３間の間隙Ｓを通じてボルト体Ｂを嵌挿する（図３（ａ）、（ｂ）を参照）。
【００４６】
次に、仮止め状態にしていた挟持具締付ボルト２１および締付ナット２２を締め付けていくと、揺動自在の緩んだ状態で交差状に重合していた両上板１１が平板状に近づき、それと同時に両脚片１２の下端より延びた両鍔片１３も互いに近接し、この鍔片１３に設けた凹所１４にボルト体Ｂが嵌合して、両鍔片１３がボルト体Ｂを挟持し、両上板１１の揺動が不能となるように固定されて一対の挟持部材１０は固定した状態となる。
【００４７】
特に本実施形態では、ボルト体Ｂのネジ溝Ｂ１に食い込んで係止可能な複数の係止片１５が形成されているため、複数の係止片１５がボルト体Ｂのネジ溝Ｂ１に各々食い込んで、ボルト体Ｂを複数の位置で係止でき、そのため、鍔片１３にてボルト体Ｂを強固に挟持して挟持具１をボルト体Ｂに確実に取り付けできる（図４（ａ）参照）。
【００４８】
こうして折板屋根Ｙに取り付けた屋根上取付具Ａの上板１１の上には、上板１１に立設された挟持具締付ボルト２１等によって各種機器・部材類Ｄを取り付けることができる（図４（ｂ）参照）。
【００４９】
以上、本実施形態で説明した通り、本発明の屋根上取付具Ａによれば、鍔片１３に形成した凹所１４がボルト体Ｂの外周面に嵌合するとともに、凹所１４に設けた複数の係止片１５がボルト体Ｂのネジ溝Ｂ１に各々係止して、屋根上取付具Ａをボルト体Ｂに簡単かつ確実に取り付けできる。
【００５０】
図５は、同屋根上取付具Ａの他の施工例を示す分解斜視図であり、図６（ａ）、（ｂ）および図７（ａ）、（ｂ）は、図５で示した屋根上取付具Ａの施工状態を示す断面図である。
【００５１】
なお、図６（ａ）は、屋根上取付具Ａを折板屋根に取り付ける前の状態を示す部分断面正面図、図６（ｂ）は、屋根上取付具Ａを折板屋根の頂部に載置した状態を示す部分断面正面図、図７（ａ）は、屋根上取付具Ａを折板屋根のハゼ部に取り付けた状態を示す部分断面正面図、図７（ｂ）は、取り付けた屋根上取付具Ａに各種機器や部材類をさらに取り付けた状態を示す部分断面正面図を各々示している。
【００５２】
ここで、屋根上取付具Ａについては図１〜図４に示した施工例と同一のものを使用しているため、屋根上取付具Ａの構造については説明を省略する。
【００５３】
すなわち、本実施例では、図２で示した屋根上取付具Ａを、折板屋根Ｙの頂部Ｙ１ａの上面に断面略円状に突出された丸ハゼ型のハゼ部Ｃに対して取り付けたものについて説明している。なお、折板屋根Ｙの上面に断面略Ｌ字状に突出された角ハゼ等についても同様であるため、上記角ハゼ等の説明については省略する。
【００５４】
具体的には、本発明の屋根上取付具Ａをハゼ部Ｃに取り付ける場合には、凹所１４ではなく、両脚片１２の下端から内方に向けて突設された鍔片１３の先端を、折板屋根Ｙのハゼ部Ｃに形成された脚部Ｃ１に挟着させて取り付けることとなる。
【００５５】
ところが、図１と同様、鍔片１３の先端中央を単に脚部Ｃ１に挟着しただけでは、鍔片１３を近接させた場合に水平方向のずれが生じて、脚部Ｃ１を十分に挟持できないおそれがある。
【００５６】
そのため、本実施例では、凹所１４以外の鍔片１３の先端には、リブによって形成された挟着部１６を形成している。
【００５７】
このようなリブによる挟着部１６によれば、リブの一般的な効果である鍔片１３の強化を図ることができるだけでなく、鍔片１３をハゼ部Ｃの脚部Ｃ１に挟持して取り付けた際、挟着部１６によってハゼ部Ｃの脚部Ｃ１との接触面積が増してさらに確実に取り付けできるという効果を得ることもできる。
【００５８】
以上のように構成した本発明の屋根上取付具Ａは、以下の要領で折板屋根Ｙに取り付けて使用する。
【００５９】
まず、屋根上取付具Ａを挟持具の両鍔片１３が十分に開いた状態、つまり挟持具締付ボルト２１、締付ナット２２の螺合を緩めて、２つの挟持部材１０を開閉自在に支点連結しておき、折板屋根Ｙに立設されたハゼ部Ｃの上方から、両鍔片１３間の間隙Ｓを通じてハゼ部Ｃを嵌挿する（図６（ａ）、（ｂ）参照）。
【００６０】
次に、仮止め状態にしていた挟持具締付ボルト２１および締付ナット２２を締め付けていくと、揺動自在の緩んだ状態で交差状に重合していた両上板１１が平板状に近づき、それと同時に両脚片１２の下端より延びた鍔片１３も互いに近接し、この鍔片１３に設けた挟着部１６が、ハゼ部Ｃの脚部Ｃ１を挟持する。特に、本実施例では、鍔片１３の先端にリブによる挟着部１６を形成すれば、この挟着部１６の先端が脚部Ｃ１に各々挟着するため、鍔片１３にて脚部Ｃ１を強固に挟持して屋根上取付具Ａをハゼ部Ｃの脚部Ｃ１に取り付けできる（図７（ａ）参照）。
【００６１】
そして、この取り付けた屋根上取付具Ａの上板１１に立設された挟持具締付ボルト２１等に、従来同様にして各種機器や部材類Ｄを取り付けて施工を完了するのである（図７（ｂ）参照）。
【００６２】
以上、本実施形態で説明した通り、本発明の屋根上取付具Ａによれば、鍔片１３の先端に形成した挟着部１６が、ハゼ部Ｃの脚部Ｃ１を確実に挟持して、屋根上取付具Ａをハゼ部Ｃに簡単かつ確実に取り付けできる。
【００６３】
ついで、図８を参照しながら、本発明に係る屋根上取付具の別実施形態について説明する。図８は同実施形態を示す概略説明図であり、図８（ａ）、（ｂ）は施工状態を示す概略正面図である。
【００６４】
この屋根上取付具Ａは、一対の挟持部材１０を開閉自在に支点連結して挟持具１を構成し、挟持具１の作用点とされる相対向した一対の鍔片１３を相互近接させ固定して、折板屋根Ｙの頂部Ｙ１ａより突出したボルト体Ｂに挟着させる構造としたものであって、鍔片１３の先端に、折板屋根Ｙの頂部Ｙ１ａの上面に突出したボルト体Ｂの外周面に嵌合可能な凹所１４、複数の係止片１５、挟着部１６を形成したものである。
【００６５】
具体的には、この屋根上取付具Ａは、上記した実施形態のものとちがって、力点である操作片１７が支点の上方にあり、上記した実施形態と同様に、交差状に連結された支点の下方に脚片１２と鍔片１３とが延びている。そして、操作片１７を緊締ボルト２５、ナット２６等で締め付けることで、鍔片１３をボルト体Ｂに挟着させることができる。こうして取り付けた屋根上取付具Ａの操作片１７に、各種機器や部材類を取り付けることができる。
【００６６】
なお、本発明の特徴部分である、鍔片１３の先端に形成された凹所１４、複数の係止片１５、挟着部１６については、上記した実施形態と同一の構造であるため、その構造および効果についての説明は省略する。
【符号の説明】
【００６７】
Ａ      屋根上取付具
１      挟持具
１０      挟持部材
１１      上板
１１ａ      基端部（基端）
１１ｂ      先端部（先端）
１１ｃ      段差部
１１ｄ      切り溝
１１ｅ      ボルト貫通孔
１１ｆ      押さえ爪
１２      脚片
１３      鍔片
１４      凹所
１４ａ      切り込み溝
１５      係止片
１５ａ      切り起こし片
１５ｂ      内縁片
１６      挟着部
１７      操作片
２１      挟持具締付ボルト
２２      締付ナット
２２ａ      ナット
２２ｂ      座金
２３      ボルト止め
Ｂ      ボルト体
Ｂ１      ネジ溝
Ｃ      ハゼ部
Ｙ      折板屋根（波形屋根）
Ｙ１      山部
Ｙ１ａ      頂部
Ｙ２      谷部
【図１】
0005520544.tif 000002
【図２】
0005520544.tif 000003
【図３】
0005520544.tif 000004
【図４】
0005520544.tif 000005
【図５】
0005520544.tif 000006
【図６】
0005520544.tif 000007
【図７】
0005520544.tif 000008
【図８】
0005520544.tif 000009